(57)【要約】【課題】  押ボタンの押込み工程の全体を通じて行われる押ボタンの押込みストロークや操作部材の挙動に影響されるクリック感を調節する。【解決手段】  スイッチ装置がタクトスイッチ１０と操作部材２０とでなる。操作部材２０が、被操作片２１と、作用部２４と、押ボタン２３とを有する。操作部材２０から分離した押ボタン２３を直線経路上で押下げ操作可能とする。押ボタン２３側の押圧部３０の表面と被操作片２１側の受部４０の表面とのうちの少なくとも一方をカム面とする。【選択図】        図２
2008112688.tif 000002
【特許請求の範囲】
【請求項１】
タクトスイッチと、定位置の支点を中心として揺動可能でその支点に付与された弾性復元力によって初期位置に向けて常時弾発付勢されている操作部材とからなり、この操作部材が、上記支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部と、を有する電気機器スイッチ装置において、
上記作用部が、上記被操作片の背面から直角に延び出た突出片の先端部によって形成されていると共に、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面が、上記受部に対する上記押圧部の摺動方向に沿って並ぶ形状の異なる複数の区画の集合であるカム面として形成され、上記押ボタンの押込み開始時点から上記作用部がタクトスイッチのタクトを押し下げることによるタクトスイッチのモード切換わり時点に至る押込み工程での上記押ボタンの押込みストロークと上記操作部材の挙動とが上記カム面の形状に応じて制御されるようになっていることを特徴とする電気機器スイッチ装置。
【請求項２】
タクトスイッチと、定位置の支点を中心として揺動可能でその支点に付与された弾性復元力によって初期位置に向けて常時弾発付勢されている操作部材とからなり、この操作部材が、上記支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部と、を有する電気機器スイッチ装置において、
上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成され、上記押ボタンの押込み開始時点から上記作用部がタクトスイッチのタクトを押し下げることによるタクトスイッチのモード切換わり時点に至る押込み工程での上記押ボタンの押込みストロークと上記操作部材の挙動とが上記カム面の形状に応じて制御されるようになっていることを特徴とする電気機器スイッチ装置。
【請求項３】
上記カム面が、上記受部に対する上記押圧部の摺動方向に沿って並ぶ形状の異なる複数の区画の集合でなる請求項２に記載した電気機器スイッチ装置。
【発明の詳細な説明】
【技術分野】
【０００１】
本発明は、電気機器スイッチ装置に関する。さらに詳しくは、押ボタンの押込み操作を通じてタクトスイッチのタクトが押し下げられるようになっていて、押ボタンとタクトスイッチとの位置関係が相違する場合であっても、押ボタンの押込み工程でのオペレータにとっての使用感、具体的には、押ボタンの押込みストロークやクリック感を一様に定めることが可能な電気機器スイッチ装置に関する。
【背景技術】
【０００２】
図６及び図７にこの種の電気機器スイッチ装置の従来例を部分縦断側面図で示してある。このスイッチ装置は、タクトスイッチ１０と操作部材２０とを備えている。タクトスイッチ１０はそのタクト１２が上向きに突き出る直立姿勢で図示していない配線基板に搭載されていて、タクト１２が初期位置から押し下げられることによってオフからオン、又は、オンからオフといったモード切換えが行われる。これに対し、操作部材２０は、弾性を備えた樹脂ヒンジによって形成されている支点Ｐの位置から延び出た板片状の被操作片２１と、この被操作片２１の背面から直角に延び出た突出片２２と、押ボタン２３と、を有していて、突出片２２の先端部下面がタクトスイッチ１０のタクト１２に上方から対峙する作用部２４として形成されていると共に、押ボタン２３が被操作片２１に一体に成形されてその被操作片２１の前面から前向きに突出している。また、支点Ｐの位置を挟んで被操作片２１の反対側に一体に成形されている取付け部２５が、電気機器キャビネットのフロントパネル１００に固着されていることに加え、押ボタン２３がそのフロントパネル１００に開設された孔部１１０に押込み可能に配備され、さらに、被操作片２１は、支点Ｐに付与された弾性復元力によってフロントパネル１００の内面に沿って起立する初期位置に向けて常時弾発付勢されている。
【０００３】
このスイッチ装置において、図６（Ｂ）のようにオペレータ（ユーザ）が手の指で押ボタン２３を矢印Ｆのように押し込むと、被操作片２１や作用片２２が初期位置（図６（Ａ）に示した位置）から矢印ａのように後退方向に揺動して傾くのに伴い、突出片２２の作用部２４によりタクト１２が押し下げられてタクトスイッチ１０のモードが切り換わる。
【０００４】
このスイッチ装置において、押込み工程での押ボタン２３の押込みストロークＳｘ、具体的には、押ボタン２３の押込み開始時点から作用部２４がタクトスイッチ１０のタクト１２を押し下げることによるタクトスイッチ１０のモード切換わり時点に至る押込み工程での押ボタン２３の押込みストロークＳｘは、押ボタン２３の中心位置（以下「押ボタン位置」という）及び支点Ｐの位置（以下「支点位置」という）の相互間隔Ｂと支点位置及びタクト１２の中心位置（以下「タクト位置」という）の相互間隔Ａとの関係によって定まり、両者の比であるＢ／Ａの値が大きくなれば押込みストロークＳｘが大きくなり、Ｂ／Ａの値が小さくなれば押込みストロークＳｘが小さくなる。
【０００５】
また、上記の押込み工程を行うことにより押ボタン２３を経てオペレータが手の指で感覚的に認識し得るクリック感が、タクトスイッチ１０のモード切換わり時点でタクトスイッチ１０が発揮する微少な衝撃感だけによって得られるものではなく、その衝撃感を含めて押込み工程の全体を通じて行われる操作部材２０の挙動によって形成されるものであるとした場合には、押込み工程が行われることによってタクトスイッチ１０のモードが切り換わるときの操作部材２０の初期状態に対する傾き角度が一定であるとしても、押込み工程の全体を通じて行われる操作部材２０の挙動（たとえば揺動速度）が相違しているとクリック感も相違したものになる。また、押込み工程が行われるときの図６（Ｂ）に示したタクト１２の押下げストロークＴ１も、その製作精度にばらつきなどが存在しているためにタクトスイッチ１０ごとに同一ではないので、仮に上記した各相互間隔Ａ，Ｂの両方が同一に定められていても、クリック感が相違したものになることが判っている。
【０００６】
したがって、オペレータがスイッチ装置を使用するときの使用感の良否は、押込み工程での押込みストロークＳｘやクリック感によって影響を受けることになる。このことを逆に云えば、スイッチ装置の使用感を向上させるためには、そのスイッチ装置が、構成上、押込み工程での押込みストロークＳｘ、あるいは、操作部材２０の挙動などに依存するクリック感を適切に制御できるようになっていることが有益であると云える。
【０００７】
図６を参照して説明した従来例に対し、タクトスイッチを操作するためのタクトノブ（上記押ボタンに相当）に傾斜した接触面を具備させ、タクトノブを押下げ操作したときにその接触面がタクトスイッチのタクトに作用するようにする技術が知られている（たとえば、特許文献１参照）。図７は特許文献１に記載されているタクトノブを図示したものであり、１はタクトノブ（上記押ボタンに相当）、２は傾斜した接触面、３はタクトスイッチ、１ａはタクトノブの支点、３ａはタクトである。このものによると、平坦な接触面２の傾斜角度を変えたり、接触面２を円弧面に変更したりすることによって、タクトスイッチ３を操作するためのタクトノブ１の押込みストロークが変わり、タクトスイッチ３の取付け位置のばらつきの許容範囲を拡げることが可能になる、とされている。
【特許文献１】実開平６−１３０３１号公報
【発明の開示】
【発明が解決しようとする課題】
【０００８】
図６を参照して説明した従来例によると、押込み工程で押ボタン２３が、まっすぐに後退することなく支点Ｐを中心に揺動運動を行うために、オペレータによる押込み感覚に違和感を生じることがある。また、上記したところから明らかなように、操作部材２０の挙動がオペレータによる押込み工程の実行速度、言い換えると押ボタン２３の押込み速度だけに依存して変化するものであるため、構造面から押込みストロークＳｘやクリック感などの使用感を調節することが困難である。
【０００９】
これに対し、一方、特許文献１に記載されているものについても、図７によって判るように、押込み工程でタクトノブ１が支点１ａを中心に揺動運動を行うために、オペレータによる押込み感覚に違和感を生じることがあるという点は、図６を参照して説明した従来例と同様である。また、特許文献１に記載されている技術は、そのサイズに多くの制約があるタクトノブ１側の平坦な接触面２の傾斜角度を変えたり、その接触面２を円弧状に湾曲させたりすることによって、タクトノブ１の押込みストロークを調節するものに過ぎず、しかも、接触面２よって直接に倒伏姿勢のタクトスイッチ３のタクト３ａを押し下げるというものであるので、押込み工程でのタクト３ａの挙動（押下げ速度）を変化させる上での自由度に乏しいことが明らかであり、そのために、押込み工程でのタクトノブ１の押込みストロークやクリック感を幅広い範囲で調節することが困難であると云える。
【００１０】
そこで、本発明は、図６を参照して説明した従来例の構成を基本構成として採用した上で、押込み工程でのオペレータによる押込み感覚に違和感が生じることを解消し、併せて、押込み工程の全体を通じて行われる押ボタンの押込みストロークや操作部材やタクトの挙動（揺動速度や押下げ速度）に依存するクリック感を幅広い範囲で調節することのできる電気機器スイッチ装置を提供することを目的とする。
【課題を解決するための手段】
【００１１】
本発明に係る電気機器スイッチ装置は、タクトスイッチと、定位置の支点を中心として揺動可能でその支点に付与された弾性復元力によって初期位置に向けて常時弾発付勢されている操作部材とからなり、この操作部材が、上記支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部と、を有する。そして、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成され、上記押ボタンの押込み開始時点から上記作用部がタクトスイッチのタクトを押し下げることによるタクトスイッチのモード切換わり時点に至る押込み工程での上記押ボタンの押込みストロークと上記操作部材の挙動とが上記カム面の形状に応じて制御されるようになっている。
【００１２】
この構成であると、押込み工程で押ボタンが直線経路上で押し込まれるために、オペレータによる押込み感覚に違和感がなくなって押ボタンの押込み操作に関係する使用感が向上する。
【００１３】
また、押ボタン側の押圧部と被操作片側の受部とのうちの少なくとも一方の表面をカム面として、押込み工程での押ボタンの押込みストロークと操作部材の挙動とをカム面の形状に応じて制御するという構成を採用したことにより、カム面の形状を変化させるだけで、押ボタンの押込みストロークを増減したり操作部材の挙動を種々変化させることが可能になる。
【００１４】
特に、この発明では、押ボタン側の押圧部によってタクトスイッチのタクトを直接に押し下げるという構造ではなく、押ボタンとタクトスイッチとの間に、サイズについての制約が少ない操作部材を介在させ、その操作部材の被操作片側の受部に上記押圧部を摺動させる構成を採用してあるために、カム面の形状変化の自由度が高まって押込み工程の全体を通じて行われる押ボタンの押込みストロークや操作部材やタクトの挙動に依存するクリック感を幅広い範囲で調節することができるようになり、そのことが使用感の調節を容易に行うことに役立つ。
【００１５】
本発明では、上記カム面が、上記受部に対する上記押圧部の摺動方向に沿って並ぶ形状の異なる複数の区画の集合でなるものであってもよい。この構成を採用すると、その押込み工程での操作部材の揺動速度やタクトの押下げ速度がカム面の各区画の形状に応じて変化するようになる。そのため、押込み工程の全体を通じて行われる押ボタンの押込みストロークや操作部材やタクトの挙動に依存するクリック感をいっそう幅広い範囲で調節することができるようになって、使用感の調節をいっそう容易に行うことができるようになる。
【００１６】
本発明に係る電気機器スイッチ装置において、上記作用部は、図６を参照して説明した従来例の操作部材に備わっている突出片の先端部によって形成されているものであってもよい。
【００１７】
上記した各発明の構成や作用などについては後述する実施形態を参照してさらに詳細に説明する。
【発明の効果】
【００１８】
以上のように、本発明によると、押ボタンの押込み操作が直線経路上で行われるために押ボタンの押込み操作に関係するオペレータの使用感が向上する。特に、押込み工程の全体を通じて行われる押ボタンの押込みストローク、操作部材やタクトの挙動に依存するクリック感などを容易に変更することができるようになるので、満足できる使用感を発揮する当該スイッチ装置を提供することが可能になる。このことは、電気機器に装備されるサイズの異なる多くのスイッチ装置の押込みストロークやクリック感を容易に一様に定めることができるということでもあるため、それだけ各スイッチ装置の押ボタンの配備位置を自由に選択することができるようになるという利点が得られるという卓越した効果が奏される。
【発明を実施するための最良の形態】
【００１９】
図１（Ａ）（Ｂ）は本発明に係るスイッチ装置の構成例の部分縦断側面図である。同図のスイッチ装置は、タクトスイッチ１０と操作部材２０とを備えている。タクトスイッチ１０はそのタクト１２が上向きに突き出る直立姿勢で図示していない配線基板に搭載されていて、タクト１２が初期位置から押し下げられることによってモード切換えが行われるようになっている。これに対し、操作部材２０は、弾性を備えた樹脂ヒンジによって形成されている支点Ｐの位置から上方へ延び出た板片状の被操作片２１と、この被操作片２１の背面から直角に延び出た突出片２２と、押ボタン２３と、を有していて、突出片２２の先端部下面がタクトスイッチ１０のタクト１２に上方から対峙する作用部２４として形成されている。また、支点Ｐの位置を挟んで被操作片２１の反対側に一体に成形されている取付け部２５が電気機器キャビネットのフロントパネル１００に固着されていることに加え、押ボタン２３がフロントパネル１００に開設された孔部１１０に配備されている。さらに、被操作片２１は、支点Ｐに付与された弾性復元力によってフロントパネル１００の内面に沿って起立する初期位置に向けて常時弾発付勢されている。
【００２０】
この実施形態では、押ボタン２３が被操作片２１から分離された別体のものとして構成されている。そして、この押ボタン２３が、上記孔部１１０又はその他のガイドにより案内されて直線経路上で押下げ操作可能になっている。
【００２１】
このスイッチ装置において、図１（Ｂ）のようにオペレータが手の指で押ボタン２３を矢印Ｆのように押し込むと、被操作片２１や作用片２２が初期位置から矢印ａのように後退方向に揺動して傾くのに伴い、突出片２２の作用部２４によりタクト１２が押し下げられてタクトスイッチ１０のモードが切り換わる。また、このスイッチ装置では、オペレータが手の指で押ボタン２３を押し込んだときには、矢印Ｌのように押ボタン２３がまっすぐに後退するために、オペレータによる押込み感覚に違和感がなくなって押ボタン２３の押込み操作に関係する使用感が向上する。
【００２２】
また、このスイッチ装置では、押ボタン２３の背面、言い換えると、押ボタン２３側の被操作片２１に対する押圧部３０の表面（押圧部表面）がカム面として形成されているのに対し、押ボタン２３の押込み時にその押圧部３０の表面が被操作片２１側の受部４０の表面を摺動するようになっている。そして、押ボタン２３の押込み工程、具体的には、押ボタン２３の押込み開始時点から作用部２４がタクトスイッチ１０のタクト１２を押し下げることによるタクトスイッチ１０のモード切換わり時点に至る押込み工程では、押ボタン２３の押込みストロークＳｘが、押圧部３０の表面でなるカム面の形状に応じて制御されるようになっていることに加え、押ボタン２３と被操作片２１と突出片２２の作用部２４とを含む操作部材２０の挙動とが上記カム面の形状に応じて制御されるようになっている。
【００２３】
図１に具体的に示した押圧部表面でなるカム面は側面視円弧状であるけれども、これはカム面形状を説明的かつ模式的に表しているに過ぎず、カム面の形状はこれに限定されない。また、図１に示した受部４０の表面は平坦状に表してあるけれども、これについても受部４０の表面形状を説明的かつ模式的に表しているに過ぎず、受部４０の表面形状もこれに限定されず、たとえば円弧状やその他の形状のカム面として形成されることもある。すなわち、本発明に係るスイッチ装置において、押ボタン２３側の押圧部３０と被操作片２１側の受部４０とは、少なくとも一方の表面だけがカム面として形成されておればよい。具体的に、押圧部３０の表面だけをカム面として受部４０はそのカム面に倣う相手方摺動突起として形成されていても、その逆に、受部４０の表面だけをカム面として押圧部４０はそのカム面に倣う相手方摺動突起として形成されていても、さらには、押圧部４０と受部４０の両者の表面をカム面としてそれら双方のカム面が相対的に摺動する構成とさていてもよい。
【００２４】
上記のように、押ボタン２３側の押圧部３０と被操作片２１側の受部４０との少なくとも一方の表面をカム面として形成しておくことによって、押込み工程での押ボタン２３の押込みストロークＳｘがカム面の形状に応じて変化し、操作部材２０の挙動もカム面の形状に応じて制御される。この点を図２〜図５を参照して具体的に説明する。
【００２５】
図２は受部４０を曲面でなるカム面とし押圧部３０を相手方摺動突起とした事例の説明図、図３は押圧部３０を曲面でなるカム面とし受部４０を相手方摺動突起とした事例の説明図、図４は押圧部３０と受部４０との両方を曲面でなるカム面とした事例の説明図、図５は受部４０を平坦なカム面とし押圧部３０を相手方摺動突起とした事例の説明図である。なお、図２〜図５にあっては、図１に示した突出片２２やタクトスイチ１０などは図示省略してある。
【００２６】
図２の事例において、カム面を形成している受部４０の表面は、押込み工程において当該受部４０に対する押圧部３０の摺動方向（図中では矢印ｍで示した方向）に沿って並ぶ形状の異なる複数の区画の集合でなる。具体的には、摺動方向ｍに対して傾斜して前向きに突き出た平坦な第１区画４１と、摺動方向ｍに対して略平行な平坦な第２区画４２と、摺動方向ｍに対して傾斜して前向きに突き出た第３区画４３との集合によってカム面が形成されている。このような形状のカム面を受部４０に具備させておくと、押込み工程で被操作片２１が支点Ｐを中心に矢印ａのように後退方向に揺動して傾くときに、被操作片２１の揺動速度がカム面に対する押圧部３０の接触位置に応じて変化する。すなわち、被操作片２１が、実線で示した初期位置から破線イで示した位置までの第１段階の揺動ではカム面の第１区画４１の傾きに応じた速度で揺動し、破線イで示した位置から一点鎖線ロで示した位置までの第２段階の揺動ではカム面の第２区画４２の傾きに応じた速度で揺動し、一点鎖線ロで示した位置から二点鎖線ハで示した位置までの第３段階の揺動ではカム面の第３区画４３の傾きに応じた速度で揺動する。そして、被操作片２１が二点鎖線ハで示した位置まで揺動したときに押込み工程が終了して図１に示したタクトスイッチ１０のタクト１２が押し下げられてそのモード切換わりが行われるとすると、押込み工程での押ボタン２３の押込みストロークは同図に符号Ｓｘ１で示した長さになる。なお、同図には、上記した第１〜第３の各段階での押ボタン２３の押込みストロークを符号Ｓ１，Ｓ２，Ｓ３で示してある。
【００２７】
このような図２の事例に対し、図５の事例では、受部４０が平坦なカム面として形成され、押圧部３０が相手方摺動突起として形成されているため、押込み工程で図１のタクトスイッチ１０のタクト１２が押し下げられてそのモード切換えが行われるまでの被操作片２１の初期位置からの揺動角度は図２の場合よりも大きくなる。したがって、図５の事例では、押込み工程が終了した段階での押ボタン２３の押込みストロークは同図に符号Ｓｘ２で示した長さになり、この押込みストロークＳｘ２は、図２の事例での押込みストロークＳｘ１よりも大きくなる（Ｓｘ１＜Ｓｘ２）。
【００２８】
以上説明した図２の事例と図５の事例とを対比することにより、カム面の形状を変化させることによって押込み工程での押ボタン２３の押込みストロークが変化することが判る。同様に、押込み工程の全体に亘る被操作片２１の揺動速度もカム面の形状に見合って逐次変化することが判る。このことから、カム面の形状を変化させるだけで、押ボタン２３の押込みストロークを増減させたり、操作部材２０の挙動によってその良否が影響を受けるクリック感を変化させたりすることができるようになり、カム面の形状を適切に定めて適切な押込みストロークやクリック感を定めて当該スイッチ装置の使用感を向上させることも可能になる。
【００２９】
図２の事例では、受部４０を曲面でなるカム面とし押圧部３０を相手方摺動突起としてあるけれども、この点は、図３のように押圧部３０を曲面でなるカム面とし受部４０を相手方摺動突起とすることも可能である。また、図４のように、押圧部３０と受部４０との両方を滑らかに連続する曲面でなるカム面とすることも可能である。そして、図２や図３のように押圧部３０及び受部４０の一方だけにカム面を具備させる場合に、そのカム面を押圧部３０及び受部４０のうちのいずれに形成するかということ、そのカム面を上記した集合によって形成するか単一に形成するかということ、そカム面を角張った形状にするか、滑らかに連続する曲面によって形成するかということ、などについては、所望する使用感を勘案して適宜選定すべき事項である。これらの点については、図４のように押圧部３０及び受部４０の両方にカム面を具備させる場合についても同様である。
【００３０】
ところで、図７を参照して説明した事例についても、傾斜面２をカム面と見ることが可能である。しかしながら、この事例では、傾斜面２でなるカム面を直接にタクトスイッチ３のタクト３ａに接触させて押し下げる構成が採用されているので、タクト３ａが傾斜面２でなるカム面に対向する倒伏姿勢でタクトスイッチ３を設置することが不可欠である。また、傾斜面２をタクトノブ１に一体に形成する構成を採用しているので、その傾斜面２のサイズについての制約が多く、傾斜面２の形状を所望のものに変更することに困難がある。
【００３１】
これに対し、上記した各実施形態についての事例では、操作部材２０から分離した押ボタン２３（タクトノブ１に相当している）とタクトスイッチ１０との間に作用部２４を備える被操作片２１を介在させてあるという点で図７のものと相違している。そして、この相違があるため、被操作部２１のサイズについての制約が上記したタクトノブ１についてのそれよりも緩和されるために、被操作片の受部４０の表面によって形成することのできるカム面のサイズを大きくすることによってカム面の形状の選択自由度が増大するという利点があり、その結果、押込み工程での押ボタン２３の押込みストロークＳｘ１，Ｓｘ２の調節幅が拡がるだけでなく、操作部材２０の挙動によって影響を受けるクリック感の調節幅も拡がる。また、上記の相違により、タクトスイッチの設置姿勢や設置位置の選択自由度が拡がる。たとえば、実施形態で説明したようにタクトスイッチ１０を直立姿勢で設置することも、あるいは、リンク機構やカム機構の作用を利用すればタクトスイッチを倒伏姿勢で設置することは勿論、操作部材２０の側方などに設置することも可能になる。
【００３２】
なお、図１〜図６を通じて同一又は相応する要素又は部分には同一符号を付すことによって説明を簡略化してある。
【図面の簡単な説明】
【００３３】
【図１】（Ａ）は本発明に係るスイッチ装置の構成例の初期状態での部分縦断側面図、（Ｂ）は同構成例の押込み工程終了時の部分縦断側面図である。
【図２】受部を曲面でなるカム面とし押圧部を相手方摺動突起とした事例の説明図である。
【図３】押圧部を曲面でなるカム面とし受部を相手方摺動突起とした事例の説明図である。
【図４】押圧部と受部との両方を曲面でなるカム面とした事例の説明図である。
【図５】受部を平坦なカム面とし押圧部を相手方摺動突起とした事例の説明図である。
【図６】（Ａ）は従来例の初期状態での部分縦断側面図、（Ｂ）は同従来例の押込み工程終了時の部分縦断側面図である。
【図７】特許文献１に記載されているタクトノブの側面図である。
【符号の説明】
【００３４】
１０  タクトスイッチ
１２  タクト
２０  操作部材
２１  被操作片
２２  突出片
２３  押ボタン
２４  作用部
３０  押圧部
４０  受部
Ｐ  支点
ｍ  摺動方向
【図１】
2008112688.tif 000003
【図２】
2008112688.tif 000004
【図３】
2008112688.tif 000005
【図４】
2008112688.tif 000006
【図５】
2008112688.tif 000007
【図６】
2008112688.tif 000008
【図７】
2008112688.tif 000009